(57)【要約】【課題】  それぞれのコア間に十分な距離を確保しつつ、各スーパーモード間の実効屈折率差を大きくすることができる結合型マルチコアファイバを提供する。【解決手段】  結合型マルチコアファイバ１は、複数のコア１１ａ〜１１ｃがクラッド１２内に配置され、それぞれのコア１１ａ〜１１ｃを伝播する光のモード結合により、スーパーモードが生じる結合型マルチコアファイバであって、それぞれのコア１１ａ〜１１ｃの伝搬定数が互いに異なることを特徴とする。【選択図】    図１
2014240943.tif 000002
【特許請求の範囲】
【請求項１】
複数のコアがクラッド内に配置され、それぞれのコアを伝播する光のモード結合により、スーパーモードが生じる結合型マルチコアファイバであって、
それぞれの前記コアの伝搬定数が互いに異なる
ことを特徴とする結合型マルチコアファイバ。
【請求項２】
特定のコアに光が入射される場合に、入射された前記光に含まれる信号を含むスーパーモードが前記特定のコアに局在する
ことを特徴とする請求項１に記載の結合型マルチコアファイバ。
【請求項３】
互いの隣り合う前記コアの中心間距離が、前記コアを伝播する光の波長の７．５倍以上である
ことを特徴とする請求項２に記載の結合型マルチコアファイバ。
【請求項４】
それぞれの前記コアに局在する各スーパーモードの実効断面積が互いに等しい
ことを特徴とする請求項２または３に記載の結合型マルチコアファイバ。
【請求項５】
それぞれの前記コアの前記伝搬定数の差が５×１０−４以上である
ことを特徴とする請求項１から４のいずれか１項に記載の結合型マルチコアファイバ。
【発明の詳細な説明】
【技術分野】
【０００１】
本発明は、それぞれのコア間に十分な距離を確保することができ、入出力部が複雑化することを抑制して、スーパーモードを用いた光通信を可能とする結合型マルチコアファイバに関する。
【背景技術】
【０００２】
現在、一般に普及している光通信システムに用いられる光ファイバは、１本のコアの外周がクラッドにより被覆される構造をしており、このコア内を光信号が伝搬することで情報が伝送される。近年光ファイバ通信システムの普及に伴い、伝送される情報量が飛躍的に増大している。このような伝送される情報量の増大に伴い、複数のコアの外周が１つのクラッドにより囲まれたマルチコアファイバが開発されている。
【０００３】
マルチコアファイバとしては、それぞれのコアが互いに独立した伝送路とされ、それぞれのコアのクロストークが出来るだけ低減された非結合型マルチコアファイバと、それぞれのコアを伝播する光が互いにモード結合してスーパーモードを励振する結合型マルチコアファイバとが知られている。この結合型マルチコアファイバによれば、光のモード毎に異なる信号を伝送するモード多重伝送が可能とされる。
【０００４】
下記特許文献１には、このような結合型マルチコアファイバの一例が記載されている。下記特許文献１に記載の結合型マルチコアファイバは、結合するそれぞれのコアの光の伝搬定数が互いに等しくされる。下記特許文献１によれば、このような結合型マルチコアファイバでは、それぞれのコア間距離が近いほどスーパーモード間の実効屈折率差（Δｎeff）が大きくなるとされる。
【先行技術文献】
【非特許文献】
【０００５】
【非特許文献１】Ｙａｓｕｏ  Ｋｏｋｕｂｕｎ  “Ｎｏｖｅｌ  ｍｕｌｔｉ−ｃｏｒｅ  ｆｉｂｅｒｓ  ｆｏｒ  ｍｏｄｅ  ｄｉｖｉｄｉｏｎ  ｍｕｌｔｉｐｌｅｘｉｎｇ：  ｐｒｏｐｏｓａｌ  ａｎｄ  ｄｅｓｉｇｎ  ｐｒｉｎｃｉｐｌｅ”  ＩＥＩＣＥ  Ｅｌｅｃｔｒｏｎｉｃｓ  Ｅｘｐｒｅｓｓ，  Ｖｏｌ.６，  Ｎｏ．８
【発明の概要】
【発明が解決しようとする課題】
【０００６】
しかし、非特許文献１に記載の結合型マルチコアファイバにおいて、励振される各スーパーモード間の結合を抑制して受信側での信号処理を容易に行える程度まで各スーパーモード間の実効屈折率差を大きくする場合、それぞれのコアを略接する程度まで近付ける必要がある。このようにそれぞれのコアを近づけると、光ファイバを製造するときにコアに対する汚染の問題が生じ易く、光の損失が大きくなる傾向がある。従って、製造時に上記汚染の問題が生じない程度まで、それぞれのコア間に十分な距離を確保したいという要請がある。一方、特許文献１の結合型マルチコアファイバにおいて、それぞれのコア間の距離を大きくすると、励振される各スーパーモード間の実効屈折率差が小さくなる。この場合励振されるスーパーモード間にモード結合が生じ易く、光信号の入出力部における信号処理が複雑化し、例えばＭＩＭＯ（multiple-input and multiple-output）等を用いた信号処理をする必要がある。
【０００７】
そこで、本発明は、それぞれのコア間に十分な距離を確保しつつ、各スーパーモード間の実効屈折率差を大きくすることができる結合型マルチコアファイバを提供することを目的とする。
【課題を解決するための手段】
【０００８】
上記課題を解決するため、本発明の結合型マルチコアファイバは、複数のコアがクラッド内に配置され、それぞれのコアを伝播する光のモード結合により、スーパーモードが生じる結合型マルチコアファイバであって、それぞれの前記コアの伝搬定数が互いに異なることを特徴とするものである。
【０００９】
従来の結合型マルチコアファイバでは、それぞれのコアの伝搬定数が互いに同じであった。本発明者らはこの理由をそれぞれのコアを伝播する光のモードを結合し易くさせ、スーパーモードを生じ易くさせるためであると考えている。しかし、本発明者らの鋭意検討の結果、それぞれのコアの伝搬定数が異なる場合であってもスーパーモードが励振出来ることが明らかとなった。しかも、それぞれのコアの伝搬定数が異なることにより、コアを略接する状態とせずとも、励振されるそれぞれのスーパーモードの実効屈折率差を大きくすることができることが見出された。従って、このような結合型マルチコアファイバによれば、製造時における上記コアの汚染を抑制できる程度までそれぞれのコア間に十分な距離を確保しつつ、スーパーモード間にモード結合が生じることを抑制できる程度まで各スーパーモード間の実効屈折率差を大きくすることができる。
【００１０】
なお、スーパーモードの実効屈折率とは、導波する光のうちスーパーモードとなっている光の実効屈折率を意味し、同様にスーパーモードの実効断面積とは、導波する光のうちスーパーモードとなっている光の実効断面積を意味する。
【００１１】
また、上記結合型マルチコアファイバにおいて、特定のコアに光が入射される場合に、入射された前記光に含まれる情報を含むスーパーモードが前記特定のコアに局在することが好ましい。
【００１２】
非特許文献１に記載された結合するそれぞれのコアの光の伝搬定数が互いに等しい結合型マルチコアファイバでは、励振されるスーパーモードがどのコアに生じるかは、それぞれのコアに入射する光の組み合わせにより変化する。つまり、それぞれのコアに入射する光を正確に制御しないと、例えば、ある瞬間ではスーパーモードが特定のコアに励振され次の瞬間にはスーパーモードが他のコア或いは特定のコアと他のコアの双方に励振されるといった状態となる。このような状態を回避してスーパーモードを個別のコアに励振するには、それぞれのスーパーモードの次数に応じた位相の光をそれぞれのコアに入射する必要がある。しかし、このような光の入射には複雑な処理が必要である。例えば、それぞれのコアで励振されるスーパーモードの組み合わせを信号処理により解読し復調する処理や、特定のコアの光を特定のモードに変換するモード変換器による処理等が必要となる。そこで、本発明者らの鋭意検討により、それぞれの前記コアの伝搬定数が互いに異なる結合型マルチコアファイバにおいて、光を入射したコアに当該光に含まれる情報を含むスーパーモードが当該コアに局在することが発見された。従って、上記のようにそれぞれのスーパーモードの次数に応じた位相の光をそれぞれのコアに入射する等といった複雑な処理をせずとも、光を入射したコアから出射する光のうちスーパーモードを示す光を読み取ることで、当該コアに入射した光に含まれる情報を得ることができる。従って、複雑な制御を行わなくとも結合型マルチコアファイバを用いた光通信を行うことができる。
【００１３】
また、上記結合型マルチコアファイバにおいて、互いの隣り合う前記コアの中心間距離が、前記コアを伝播する光の波長の７．５倍以上であることが好ましい。
【００１４】
本発明者らは、コアの中心間距離（コア間距離）が、コアを伝播する波長の７．５倍以上である場合に、特定のコアに入射された光に含まれる情報を含むスーパーモードが当該特定のコアに局在する傾向がより顕著であることを見出した。従って、このような構成の結合型マルチコアファイバによれば、より容易にコアに入射した光に含まれる情報を得ることができる。
【００１５】
また、それぞれの前記コアに局在する各スーパーモードの実効断面積が互いに等しいことが好ましい。
【００１６】
光の実効断面積は、光に含まれる信号の歪に影響する。従って、スーパーモードの実効断面積が互いに等しくされることで、それぞれのコアから出射するスーパーモードを示す光の歪が同様となり、受信側の処理が複雑化することを抑制することができる。
【００１７】
また、それぞれの前記コアの前記伝搬定数の差が５×１０−４以上であることが好ましい。このようにそれぞれのコアを構成することで、スーパーモード同士のモード結合をより弱くすることができ、受信側の信号よりが複雑化することをより抑制することができる。
【発明の効果】
【００１８】
以上のように、本発明によれば、それぞれのコア間に十分な距離を確保しつつ、各スーパーモード間の実効屈折率差を大きくすることができる結合型マルチコアファイバが提供される。
【図面の簡単な説明】
【００１９】
【図１】本発明の実施形態に係る結合型マルチコアファイバの様子を示す図である。
【図２】それぞれのコアの伝搬定数が同じである結合型マルチコアファイバのおけるスーパーモードの実効屈折率差についてコア間距離への依存性を示す図である。
【図３】図１に示すマルチコアファイバにおけるスーパーモードの実効屈折率差についてコア間距離への依存性を示す図である。
【図４】図１に示すマルチコアファイバにおいて、それぞれのコアに個別に光を入射した場合にスーパーモードが局在する様子を示すシミュレーション結果である。
【図５】スーパーモードの実効屈折率差についてコア径及びコアΔに対する依存性を示す図である。
【図６】コアに局在するスーパーモードのパワーの割合とコア間距離との関係を示す図である。
【発明を実施するための形態】
【００２０】
以下、本発明に係る結合型マルチコアファイバの好適な実施形態について図面を参照しながら詳細に説明する。なお、理解の容易のため、それぞれの図に記載のスケールと、以下の説明に記載のスケールとが異なる場合がある。
【００２１】
図１は、本発明の実施形態に係る結合型マルチコアファイバ（以下マルチコアファイバと呼ぶ）の様子を示す図である。
【００２２】
図１に示すように、本実施形態のマルチコアファイバ１は、複数のコア１１ａ〜１１ｃと、複数のコア１１ａ〜１１ｃの外周面を隙間なく囲むクラッド１２と、クラッド１２の外周面を被覆する内側保護層１３と、内側保護層１３の外周面を被覆する外側保護層１４と、を備える。なお、本実施形態では、コアの数が３つの場合について説明する。
【００２３】
本実施形態のマルチコアファイバ１では、それぞれのコア１１ａ〜１１ｃが互いに所定距離離れて等間隔で配置されている。それぞれのコア１１ａ〜１１ｃの直径は、例えば、７．７６μｍ〜９．７４μｍとされ、クラッド１２の直径は、特に限定されるわけではないが、例えば、１２５μｍとされる。また、それぞれのコア１１ａ〜１１ｃのクラッド１２に対する比屈折率差は、例えば、０．３５４％〜０．４２％とされる。そして、それぞれのコア１１ａ〜１１ｃは、互いに異なる伝搬定数とされる。このようにそれぞれのコア１１ａ〜１１ｃが互いに異なる伝搬定数とされるには、例えば、それぞれのコア１１ａ〜１１ｃの直径が互いに異なる大きさとされたり、それぞれのコア１１ａ〜１１ｃのクラッド１２に対する比屈折率差（コアΔ）が互いに異なる値とされれば良い。また、それぞれのコア１１ａ〜１１ｃの直径の大きさ及びクラッド１２に対する比屈折率差が互いに異なった状態とされて、それぞれのコア１１ａ〜１１ｃが互いに異なる伝搬定数とされても良い。
【００２４】
また、それぞれのコア１１ａ〜１１ｃのコア間距離は、それぞれのコア１１ａ〜１１ｃを伝播する光のモード結合が生じて、スーパーモードが励振される程度の大きさとされる。このような距離は、伝送に使用する光の波長の２０倍以下として求めることができ、例えば、使用波長の下限が１５３０ｎｍの場合３０．６μｍ以下とされる。また、マルチコアファイバ１が製造される際にコア１１ａ〜１１ｃに対する汚染を防止して、伝播される光の損失を抑制する観点から、コア１１ａ〜１１ｃのコア間距離は、広いほどが好ましく、少なくとも使用波長におけるモードフィールド直径（ＭＦＤ)の１．１倍以上であることが望ましく、１．２倍以上あると更に好ましい。
【００２５】
また、内側保護層１３及び外側保護層１４は、例えば、互いに異なる種類の紫外線硬化樹脂から成る。
【００２６】
次に、マルチコアファイバ１に励振されるスーパーモードについて、それぞれのコアの伝搬定数が同じである従来の結合型マルチコアファイバとの比較をしつつ説明する。
【００２７】
図２は、それぞれのコアの伝搬定数が同じである結合型マルチコアファイバのおけるスーパーモードの実効屈折率差についてコア間距離への依存性を示す図である。図２において、横軸は、互いに隣り合うコアの中心間距離（コア間距離）［μｍ］を示し、縦軸は、コアの屈折率（ｎco）とクラッドの屈折率（ｎcl）との差（ｎco−ｎcl）とスーパーモードの実効屈折率（ｎeff）とクラッドの屈折率との差（ｎeff−ｎcl）との比を示している。また、図２で特性が示される結合型マルチコアファイバでは、コアの数が５つとされ、それぞれのコアがクラッドの径方向に沿って直線状に配置されている。また、この結合型マルチコアファイバのそれぞれのコアの直径は５．０μｍとされ、それぞれのマルチコアファイバのクラッドに対する比屈折率差（Δ）は１．１％とされている。それぞれのコアが単独に機能するときのモードフィールド直径は、１５５０ｎｍにおいて、５．８μｍ程度である。
【００２８】
このようなマルチコアファイバにおいて、コアの番号を端から順に０，１，２，３，４とし、それぞれのスーパーモードの実効屈折率をｎeff,0，ｎeff,1，ｎeff,2，ｎeff,3，ｎeff,4とすると、図２に示されるようにそれぞれのスーパーモードの実効屈折率（ｎeff,0〜neff,4）は、それぞれのコア間距離に依存して、それぞれのコア間距離が小さくなるほど、それぞれのスーパーモードの実効屈折率（ｎeff,0〜neff,4）の差が大きくなる。非特許文献１では、コア間距離をコア直径と等しくすることにより、最低時モードとそれに隣接する高次モードの実効屈折率の差は０．０００６４となることが開示されている。隣接モード間におけるモード結合が生じないようにするには、それぞれのモードの実効屈折率の差を０．０００５以上とすればよい。したがって，非特許文献により開示されている条件は、スーパーモード間の結合を抑えた条件になっている。実効屈折率差を０．０００５以上確保するためには，図２に示されるようにコア間距離を約５．３５μｍ以下としなければならず、コア単独の時のＭＦＤよりも小さな値となってしまう。。このような条件であると、マルチコアファイバを製造する際にコア材表面に対する汚染が伝送損失に与える影響が大きくなる。従って、従来の結合型マルチコアファイバにおいて、それぞれのスーパーモードのモード結合が生じないように設計すると、コアに対する汚染により光の伝送損失が悪くなる傾向がある。一方、それぞれのコア間距離を大きくすると、それぞれのスーパーモード間のモード結合が生じ易くなる。それぞれのスーパーモードのモード結合が生じる場合には、少なくとも受信側においてＭＩＭＯ等を用いた複雑な信号処理が必要となり、通信設備が複雑化してしまう。
【００２９】
図３は、本実施形態のマルチコアファイバ１におけるスーパーモードの実効屈折率差についてコア間距離に対する依存性を示す図である。図３において、横軸は、互いに隣り合うコア１１ａ〜１１ｃの中心間距離を示し、縦軸は、スーパーモードの実効屈折率を示している。また、図３で特性が示されるマルチコアファイバ１では、それぞれのコアが互いに正三角形を描くように互いに等間隔で配置されている。また、このマルチコアファイバ１のコア１１ａの半径は４．８７μｍとされ、コア１１ｂの半径は４．５０μｍとされ、コア１１ｃの半径は３．８８μｍとされている。更に、このマルチコアファイバ１のコア１１ａのクラッド１２に対する比屈折率は０．４２％とされ、コア１１ｂのクラッド１２に対する比屈折率は０．３７％とされ、コア１１ｃのクラッド１２に対する比屈折率は０．３５４％とされている。この場合、コア１１ａ、コア１１ｂ、コア１１ｃの光の実効屈折率は１５５０ｎｍにおいてそれぞれ１．４４７９８，１．４４７０８，１．４４６１８とされ、それぞれのコア１１ａ〜１１ｃは互いに異なる伝搬定数とされる。
【００３０】
このようなマルチコアファイバ１において、それぞれのスーパーモードの実効屈折率はそれぞれのコア間距離に依存し、それぞれのコア間距離が小さくなるほど、それぞれのスーパーモードの実効屈折率（ｎeff,0〜neff,4）の差が大きくなる。しかし、図２に示される各コアの光の伝搬定数が同じ従来の結合型マルチコアファイバのスーパーモードの特性と異なり、本実施形態のマルチコアファイバ１で励振されるそれぞれのスーパーモードは、スーパーモードが生じる範囲でコア間距離を大きくしても、スーパーモードのモード間結合を抑制できる程度に実効屈折率差を確保できる。例えば、それぞれのコア１１ａ〜１１ｃのコア間距離を１２．８μｍとする場合にスーパーモードの実効屈折率差を約０．０００９とすることができ、スーパーモードのモード間結合を抑制できる。従って、このようなマルチコアファイバ１によれば、製造時におけるコアの汚染を抑制できる程度までそれぞれのコア間に十分な距離を確保することができ、更にスーパーモード間にモード結合が生じることを抑制できる程度まで各スーパーモード間の実効屈折率差を大きくすることができる。
【００３１】
また、本発明者らはマルチコアファイバ１のようにそれぞれの伝搬定数が異なるコアを有する結合型マルチコアファイバの検討を行う上である重要な発見をした。それは、本発明者らが検討したそれぞれの伝搬定数が異なるコアを有する結合型マルチコアファイバによれば、特定のコアに光が入射される場合に、入射された光に含まれる信号を含むスーパーモードがこの特定のコアに局在するということである。つまり、コア１１ａに光を入射すると、コア１１ａに入射した光の情報を有するスーパーモードがコア１１ａに局在する。同様にコア１１ｂに光を入射すると、コア１１ｂに入射した光の情報を有するスーパーモードがコア１１ｂに局在し、コア１１ｃに光を入射すると、コア１１ｃに入射した光の情報を有するスーパーモードがコア１１ｃに局在するのである。この場合、光は３つのコア１１ａ〜１１ｃの２つ以上に同時に入射しても良い。例えば、３つのコア１１ａ〜１１ｃのそれぞれに光を入射すると、それぞれのコアに入射した光の情報を有するそれぞれのスーパーモードが光を入射したコアに励振される。そこで、図３では、それぞれのスーパーモードの特性を示す線にスーパーモードが現れるコアの符号を付している。このように特定のコアに光が入射される場合に入射された光に含まれる信号を含むスーパーモードがこの特定のコアに局在する条件は、少なくとも使用波長の７．５倍以上のコア間隔であれば良い。通常の１５５０ｎｍ帯での使用を想定した場合、１２μｍ程度のコア間隔が必要である。
【００３２】
図４は、コア間距離を１２．８μｍとし、コア１１ａに局在するスーパーモードの実効屈折率ｎeffａを１．４４７９８とし、コア１１ｂに局在するスーパーモードの実効屈折率ｎeffｂを１．４４７０８とし、コア１１ｃに局在するスーパーモードの実効屈折率ｎeffｃを１．４４６１８としたマルチコアファイバ１において、それぞれのコア１１ａ〜１１ｃに個別に光を入射した場合のスーパーモードの局在の様子を示すシミュレーション結果である。具体的には、図４（Ａ）はこのようなマルチコアファイバ１のコア１１ａに光を入射した場合のスーパーモードの局在の様子を示し、図４（Ｂ）はコア１１ｂに光を入射した場合のスーパーモードの局在の様子を示し、図４（Ｃ）はコア１１ｃに光を入射した場合のスーパーモードの局在の様子を示す。なお、このシミュレーションで各コアを伝播する光の波長は１５５０ｎｍとした。図４（Ａ）〜図４（Ｃ）に示すように、伝搬定数が異なるコアを有する結合型マルチコアファイバによれば、上記のように特定のコアに光が入射される場合に、入射された光に含まれる信号を含むスーパーモードがこの特定のコアに局在することが分かる。
【００３３】
次にマルチコアファイバ１に励振されるスーパーモードのコアの直径とクラッドに対する比屈折率差について説明する。
【００３４】
図５は、スーパーモードの実効屈折率差についてコアの直径及びコアのクラッドに対する比屈折率差（コアΔ）への依存性を示す図である。図５では、マルチコアファイバ１のコア間距離を１２．８μｍとし、それぞれのスーパーモードの実効屈折率差を０．０００９としている。具体的には、コア１１ａ〜１１ｃに局在するスーパーモードの実効屈折率ｎeffａ〜ｎeffｃが図４でシミュレーションしたマルチコアファイバ１のコア１１ａ〜１１ｃに局在するスーパーモードの実効屈折率ｎeffａ〜ｎeffｃと同様である状態をそれぞれ実線で示している。図４に示すように、コアの直径が小さくなるほどコア１１ａ〜１１ｃのクラッド１２に対する屈折率差が大きくなることが分かる。
【００３５】
また、図５において、破線は、波長１５６５ｎｍの光が、半径３０ｍｍで１００ターン巻回された場合に、曲げ損失が０．５ｄＢなる状態を示す線であり、破線より下の領域は、波長１．５μｍ帯の光ファイバにおいて、曲げ損失が大きいために使用できない領域とされる。また、点線で示すλｃは、１５３０ｎｍのカットオフ波長を示しており、波長１．５μｍ帯の光ファイバでは、点線で示すλｃよりも右（上）の領域はシングルモード通信ができずに使用できない領域とされる。従って、曲げ損失を示す破線とカットオフ波長を示す点線とで挟まれた領域における実線上の状態であれば、それぞれのスーパーモードの実効屈折率差を０．０００９として通信を行うことができる。
【００３６】
さらに図５では、それぞれのスーパーモードの実効断面積が８０μｍ２となる状態が一点鎖線で示されている。従って、図５において黒点で示されるポイントであれば、それぞれのスーパーモードの実効屈折率差を０．０００９としつつ、それぞれのスーパーモードの実効断面積を８０μｍ２にそろえることができる。また、曲げ損失を示す破線とカットオフ波長を示す点線とで挟まれた領域における実線上であれば、実効断面積を他の面積でそろえることもできる。
【００３７】
図６は、マルチコアファイバ１を図４の説明で用いたマルチコアファイバと同じ条件とした場合に、それぞれのコア１１ａ〜１１ｃに局在するスーパーモードのパワーの割合とコア間距離との関係を示す図である。なお、それぞれのコア１１ａ〜１１ｃを伝播する光の波長も図４の説明の光の波長と同様の波長である１５５０ｎｍとした。図６において、ｃｏｒｅ１１ａと示される実線は、図４（Ａ）に示されるコア１１ａに局在するスーパーモードのパワーを示す。例えば、コア間隔２０μｍではコア１１aに局在するスーパーモードのパワーの割合は０．８６であり、このスーパーモードのパワーの８６％はコア１１aに存在しているが、残りの１４％は他のコアやクラッドに分布していることを意味している。同様に、図６において、ｃｏｒｅ１１ｂと示される実線は、図４（Ｂ）に示されるコア１１ｂに局在するスーパーモードのパワーを示し、ｃｏｒｅ１１ｃと示される実線は、図４（Ｃ）に示されるコア１１ｃに局在するスーパーモードのパワーを示す。コア間隔２０μｍにおいて、コア１１ｂ、コア１１ｃに局在するパワーの割合は、それぞれ８０％、６８％となる。
【００３８】
従って、図６に示すように、どのコア間距離においてもそれぞれのコア１１ａ〜１１ｃにスーパーモードが局在していることが分かる。更にコア間距離が１４μｍ以上の領域では、それぞれのコア１１ａ〜１１ｃに局在するスーパーモードのパワーは略一定となる。コア間距離が１４μｍにおいて、コア１１ａのスーパーモードのパワーの割合は０．８５なり、コア１１ｂのスーパーモードのパワーの割合は０．７９となり、コア１１ｃのスーパーモードのパワーの割合は０．６８となる。従ってコア間距離が１４μｍの場合、それぞれのコア１１ａ〜１１ｃに局在するスーパーモードのパワーは、コア間隔が２０μｍの場合と殆ど変らないこととなる。また、コア間距離が１１．７μｍにおいて、コア１１ａのスーパーモードのパワーの割合は０．８２となり、コア１１ｂのスーパーモードのパワーの割合は０．７５となり、コア１１ｃのスーパーモードのパワーの割合は０．６５となる。従って、コア間距離が１１．７μｍ以上であれば、それぞれのコアに局在するスーパーモードのパワーとコア間距離が１４μｍ以上の定常状態と比較しても、あるスーパーモードが特定のコアに局在するパワーの割合の低下は５％以内（０．０５以下）となる。つまり、コア間距離がコアを伝播する光の波長の７．５倍以上であれば、光を入射したコアにスーパーモードが顕著に局在することが見出された。
【００３９】
以上、本発明について、実施形態を例に説明したが、本発明はこれらに限定されるものではない。
【００４０】
例えば、上記実施形態において、マルチコアファイバ１は３つのコア１１ａ〜１１ｃを有して、それぞれのコア１１ａ〜１１ｃは互いに同じコア間隔となるように配置されたが、コアは複数であれば良くその数は特に限定されない。また、コア間隔は、スーパーモードが励振されれば互い等距離で無くても良い。
【産業上の利用可能性】
【００４１】
以上説明したように、本発明によれば、それぞれのコア間に十分な距離を確保しつつ、各スーパーモード間の実効屈折率差を大きくすることができる結合型マルチコアファイバが提供され、光通信の技術分野に利用されることが期待できる。
【符号の説明】
【００４２】
１・・・（結合型）マルチコアファイバ
１１ａ〜１１ｃ・・・コア
１２・・・クラッド
１３・・・内側保護層
１４・・・外側保護層
【図１】
2014240943.tif 000003
【図２】
2014240943.tif 000004
【図３】
2014240943.tif 000005
【図５】
2014240943.tif 000006
【図６】
2014240943.tif 000007
【図４】
2014240943.tif 000008